(57)【要約】本書では「ピギーバック方式の」円柱（トーリック）眼内レンズが開示されている。この眼内レンズは、既に眼の水晶体嚢内に設置されている調節性または標準の眼内レンズの前に配置するためのものである。このピギーバック方式のレンズは溝内に設置され、特に水晶体嚢内のレンズがアーチ形天井状に後方に湾曲した場合でも、２つのレンズ間には十分な空間が残される。
2010527261.tif 000002
【特許請求の範囲】
【請求項１】
眼内レンズであって、非球状のトーリック面と、後方に設置された眼内レンズ前でヒト眼球の毛様溝内に配置するための触覚部とを備えた、ピギーバック方式の眼内レンズ。
【請求項２】
前記触覚部が、前記レンズを前記眼内部の中央に位置付けかつ該レンズが回転することを防ぐものであることを特徴とする請求項１記載の眼内レンズ。
【請求項３】
前記レンズが、生体適合性のある光学材料で作製されていることを特徴とする請求項１記載の眼内レンズ。
【請求項４】
前記触覚部および光学素子が、可撓性の光学材料で作製されていることを特徴とする請求項１記載の眼内レンズ。
【請求項５】
前記触覚部が板状触覚部であることを特徴とする請求項２記載の眼内レンズ。
【請求項６】
前記板状触覚部が、該板状触覚部の端部に固定用ループを有することを特徴とする請求項５記載の眼内レンズ。
【請求項７】
前記触覚部の端部にループが設けられていることを特徴とする請求項１記載の眼内レンズ。
【請求項８】
前記レンズが乱視度数を有し、球面度数を有さないことを特徴とする請求項１記載の眼内レンズ。
【請求項９】
前記レンズが乱視度数および球面度数を有することを特徴とする請求項１記載の眼内レンズ。
【発明の詳細な説明】
【背景技術】
【０００１】
眼内レンズの度数は現在、手術前に眼球長および角膜曲率を入念に計測することで、乱視を有さないことを条件として、患者に優れた視力を与えるように計算することができる。乱視は通常、角膜が２つの異なる半径を有する非球面であることが原因となっている。
【０００２】
この角膜の円柱度数（corneal cylinder）と呼ばれる非球面性を矯正するために、これまでに種々の方法が用いられている。これらは主に、いわゆる角膜輪部減張切開術と呼ばれる、角膜に切り目を入れることによって角膜を平坦にしようとするものである。この他にも、薄膜内（intralameller）外科的切除（ＬＡＳＩＣ）または角膜表層切開術（ＰＲＫ）といった手術技術が行われている。眼内レンズもまた、角膜の円柱度数を矯正するために用いられている。矯正の最も一般的な形態は、眼内レンズ上に円柱面を設けることである。このレンズは、水晶体皮質と水晶体核を取り除いた後に水晶体嚢内に置かれるか、または後眼房内の水晶体上に置かれる。コンタクトレンズもまた、長年に亘って角膜の非球面性を矯正するために用いられている。
【０００３】
最近になって、調節性レンズが開発された。このレンズは眼の中で前後に動き、その光学素子は、硝子体腔の圧力が増加すると変形する。この調節性レンズは眼の中でアーチ形天井状に後方に湾曲し、さらに調節するため前方に動く。しかしながら、この前方への動きが最大となっても、その光学素子は、溝に配置される非調節性のトーリックレンズには接触しないであろう。
【発明の概要】
【課題を解決するための手段】
【０００４】
本発明の目的は、水晶体嚢内に既に据えられている眼内レンズの前に設置可能な、「ピギーバック方式の（piggyback）」円柱（トーリック）眼内レンズを提供することである。このレンズは溝内に設置され、特に水晶体嚢内のレンズがアーチ形天井状に後方に湾曲した場合でも、２つのレンズ間には十分な空間が残される。
【０００５】
この埋込みは最初の手術中に行ってもよいし、または最初の手術のあとしばらく経ってからレンズを眼の中に埋め込んでもよい。このレンズは、いくつかの乱視度数で球面度数を備えずに製造されたり、いくつかの乱視度数および正負両方の追加度数を有して製造されたりする。その後このレンズを、乱視度数を矯正するために、および／または、後方に設置された調節性レンズの球面度数を微調整するために埋め込むことができる。
【０００６】
このレンズは生体適合性のある光学材料、例えば、シリコーン、アクリル、ヒドロゲル、またはコラマー（collamer）などから作製され、ポリイミド、プロレン（prolene）、ＰＭＭＡ、または任意の他の生体適合性のある材料のいずれかにより作製されたループを備えている。
【０００７】
このレンズは、ループまたは４点固定のいずれかを備えた、ループ状または板状の構造であり、一旦眼の溝内に設置されると適応して回転したり動いたりすることのないように設計されている。
【０００８】
本発明の目的は、改良された眼内レンズおよびレンズ系を提供することである。
【図面の簡単な説明】
【０００９】
【図１】本発明のレンズがヒトの眼の中に埋め込まれた状態を示す眼の断面図
【図２Ａ】図１の「ピギーバック方式の」レンズを示す平面図
【図２Ｂ】図１の「ピギーバック方式の」レンズを示す側面図
【発明を実施するための形態】
【００１０】
まず図１を参照するとヒトの眼１０の断面図が表示されており、眼の構造のうち角膜１２、虹彩１４、溝１６、毛様筋１８、小帯２０、および水晶体嚢２２を含む部分が示されている。水晶体嚢内に埋め込まれた標準調節性眼内レンズまたは標準眼内レンズ２９が、光学素子２５および触覚部２６を有して示されている。このレンズ２５を調節性または標準の眼内レンズとしてもよい。
【００１１】
本発明による改良点は上述したように「ピギーバック方式の」レンズの埋込みであり、このレンズは、図１において符号３０で示されている、光学素子３２、触覚部３４、および触覚部３４端部に固定用ループ３６（左側のみが示されている）、を有する溝用トーリックレンズである。
【００１２】
図２Ａおよび２Ｂはピギーバック方式のレンズ３０の構造をさらに図示したものであり、図２Ａには光学素子３２、触覚部３４および固定用ループ３６がさらに詳しく示されている。レンズ３０は、調節性レンズのようなヒンジを有していない。図２Ｂは、光学素子の直径とレンズ３０の全長の寸法を示す側面図である。レンズ３０は、任意の光学用可撓性材料で成形してもよく、例えば、シリコーン、アクリル、ヒドロゲルまたはコラマーが挙げられる。トーリック光学素子３２の直径Ｘは４．５〜７．０ｍｍの範囲であることが好ましく、低球面度数および、各球面度数に対して例えば乱視度数１．００、１．５０、２．００、２．５０ジオプタなど種々の乱視度数を有する場合には、６．０ｍｍであることが好ましい。ループ３６は４点固定を提供するものであり、このループをポリイミド、プロレン（prolene）またはＰＭＭＡ製としてもよい。図１における距離Ｙは１１．５〜１４．５ｍｍとしてもよい。トーリックレンズ３０の典型的な全長Ｚは１０．５〜１１．５ｍｍである。
【００１３】
図示および説明されたような本発明の実施形態に対し、本発明の範囲から逸脱することなく種々の変更をなすことが可能であり、全てのこのような変更および同等物は包括されるものと意図されている。
【符号の説明】
【００１４】
１２    角膜
１４    虹彩
１６    溝
２２    水晶体嚢
２５、３２    光学素子
２６、３４    触覚部
３０    ピギーバック方式のレンズ
３６    固定用ループ
【図１】
2010527261.tif 000003
【図２Ａ】
2010527261.tif 000004
【図２Ｂ】
2010527261.tif 000005
【国際調査報告】
2010527261.tif 000006